【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】  自機器にアクセス許可したクライアントとなる情報処理装置をネットワークシステム上で特定するクライアント用ホスト情報を複数記録したホスト情報記録部と、
前記クライアントとなる情報処理装置それぞれを認証するための認証情報を生成する認証情報生成部と、
を備え、
前記認証情報生成部において前記クライアントとなる情報処理装置それぞれに対する認証情報を生成し、前記クライアントとなる情報処理装置それぞれに対して、前記クライアントとなる各情報処理装置の前記認証情報を送信することを特徴とする情報処理装置。
【請求項２】  前記クライアントとなる情報処理装置それぞれから認証情報を受信するとともに、受信した当該認証情報と前記認証情報生成部で生成した前記認証情報とを比較することによって認証を行う認証部を備えることを特徴とする請求項１に記載の情報処理装置。
【請求項３】  前記認証生成部において、前記認証情報を生成開始する時刻に基づいて前記認証情報を生成することを特徴とする請求項１または請求項２に記載の情報処理装置。
【請求項４】  前記ネットワークシステム上で自機器が特定されるサーバ用ホスト情報を、前記クライアントとなる情報処理装置それぞれに対して、前記クライアントとなる各情報処理装置の前記認証情報とともに送信することを特徴とする請求項１〜請求項３のいずれかに記載の情報処理装置。
【請求項５】  ネットワークシステムに接続されたサーバとなる情報処理装置においてアクセスが許可され、当該サーバとなる情報処理装置のクライアントとなる情報処理装置において、
前記サーバとなる情報処理装置から前記サーバとなる情報処理装置での認証に利用される認証情報とを受信した後、
前記サーバとなる情報処理装置に対して、前記認証情報を送信することを特徴とする情報処理装置。
【請求項６】  請求項１〜請求項４のいずれかに記載の情報処理装置をサーバとするとともに、請求項５に記載の情報処理装置をクライアントとすることを特徴とするネットワークシステム。
【請求項７】  サーバとなる情報処理装置と当該サーバとなる情報処理装置によってアクセスが許可されたクライアントとなる複数の情報処理装置とによって構成されるネットワークシステムにおける前記クライアントとなる情報処理装置の認証方法において、
前記サーバとなる情報処理装置が前記クライアントとなる情報処理装置それぞれに対して認証動作を行う際に使用する認証情報を生成する第１ステップと、
前記サーバとなる情報処理装置が前記クライアントとなる情報処理装置それぞれに対して、前記第２ステップで生成された前記認証情報を送信する第２ステップと、
前記クライアントとなる情報処理装置それぞれが、前記第２ステップで前記サーバとなる情報処理装置から送信された前記認証情報を受信する第３ステップと、
前記クライアントとなる情報処理装置それぞれが、前記サーバとなる情報処理装置に対して、前記第３ステップで受信された前記クライアントとなる情報処理装置それぞれに対して生成された前記認証情報を送信する第４ステップと、
前記サーバとなる情報処理装置が、前記第４ステップにおいて前記クライアントとなる情報処理装置それぞれから送信された前記認証情報に基づいて前記クライアントとなる情報処理装置の認証を行う第５ステップと、
によって構成されることを特徴とする認証方法。
【請求項８】  前記第４ステップにおいて、前記認証情報を生成開始する時刻に基づいて前記認証情報を生成することを特徴とする請求項７に記載の認証方法。
【請求項９】  請求項７又は請求項８に記載の認証方法を利用して、前記サーバとなる情報処理装置が前記クライアントとなる情報処理装置の認証を行うことを特徴とするネットワークシステム。
【手続補正２】
【補正対象書類名】明細書
【補正対象項目名】００１０
【補正方法】変更
【補正の内容】
【００１０】
【課題を解決するための手段】
上記目的を達成するために本発明の情報処理装置は、自機器にアクセス許可したクライアントとなる情報処理装置をネットワークシステム上で特定するクライアント用ホスト情報を複数記録したホスト情報記録部と、前記クライアントとなる情報処理装置それぞれを認証するための認証情報を生成する認証情報生成部と、を備え、前記認証情報生成部において前記クライアントとなる情報処理装置それぞれに対する認証情報を生成し、前記クライアントとなる情報処理装置それぞれに対して、前記クライアントとなる各情報処理装置の前記認証情報を送信することを特徴とする。
【手続補正３】
【補正対象書類名】明細書
【補正対象項目名】００１１
【補正方法】変更
【補正の内容】
【００１１】
このように構成される情報処理装置において、ネットワークシステムに接続したとき、アクセス許可した情報処理装置に対して、認証情報生成部で認証情報を生成するとともに、ホスト情報記録部で記録したそのクライアント用ホスト情報によりネットワークシステム上の位置を認識し、特定されるサーバ用ホスト情報と認証情報を送信するものとしても構わない。このような認証情報において、特定のアカウントとサーバとなる情報処理装置がネットワークシステムに接続されるたびに変更されるパスワードとによって構成されるものとしても構わない。
【手続補正４】
【補正対象書類名】明細書
【補正対象項目名】００１４
【補正方法】変更
【補正の内容】
【００１４】
又、本発明の情報処理装置は、ネットワークシステムに接続されたサーバとなる情報処理装置においてアクセスが許可され、当該サーバとなる情報処理装置のクライアントとなる情報処理装置において、前記サーバとなる情報処理装置から前記サーバとなる情報処理装置での認証に利用される認証情報を受信した後、前記サーバとなる情報処理装置に対して、前記認証情報を送信することを特徴とする。
【手続補正５】
【補正対象書類名】明細書
【補正対象項目名】００１５
【補正方法】変更
【補正の内容】
【００１５】
このような構成において、上述のように構成されるサーバとなる情報処理装置より送信されるサーバ用ホスト情報より、サーバとなる情報処理装置を特定するとともに、このサーバとなる情報処理装置に認証されるように、サーバとなる情報処理装置より送信された認証情報を送信するものとしても構わない。
【手続補正６】
【補正対象書類名】明細書
【補正対象項目名】００１７
【補正方法】変更
【補正の内容】
【００１７】
又、本発明の認証方法は、サーバとなる情報処理装置と当該サーバとなる情報処理装置によってアクセスが許可されたクライアントとなる複数の情報処理装置とによって構成されるネットワークシステムにおける前記クライアントとなる情報処理装置の認証方法において、前記サーバとなる情報処理装置が前記クライアントとなる情報処理装置それぞれに対して認証動作を行う際に使用する認証情報を生成する第１ステップと、前記サーバとなる情報処理装置が前記クライアントとなる情報処理装置それぞれに対して、前記第２ステップで生成された前記認証情報を送信する第２ステップと、前記クライアントとなる情報処理装置それぞれが、前記第２ステップで前記サーバとなる情報処理装置から送信された前記認証情報を受信する第３ステップと、前記クライアントとなる情報処理装置それぞれが、前記サーバとなる情報処理装置に対して、前記第３ステップで受信された前記クライアントとなる情報処理装置それぞれに対して生成された前記認証情報を送信する第４ステップと、前記サーバとなる情報処理装置が、前記第４ステップにおいて前記クライアントとなる情報処理装置それぞれから送信された前記認証情報に基づいて前記クライアントとなる情報処理装置の認証を行う第５ステップと、によって構成されることを特徴とする。